(57)【要約】【課題】  チャックが開いた状態で保持する事ができる新規な包装用袋の提供。【解決手段】    開口部近傍の前面フィルムと後面フィルムそれぞれの対向する内側にチャック部を設け、チャック部同士の接離により開口部を開閉自在に構成したチャック付き包装用袋であって、袋の長さ方向の中心線に対して同じ側にある袋の最上部の側端と、チャックの側端から上方に伸びる直線部分の上端とを結ぶそれぞれの線分が、前記中心線に対して１０−７０度の角度をなして中心線から離れて伸びるように袋の最上部の側端が配置され、袋の最上部の側端と該直線部分の上端の間の袋の外端部分は前記線分を越えて中心線から離れることなく、前記袋のチャックより上の部分がチャックに対して下方向に折り曲げ可能である袋。【選択図】  図１
2019043646.tif 000002
【特許請求の範囲】
【請求項１】
開口部近傍の前面フィルムと後面フィルムそれぞれの対向する内側にチャック部を設け、チャック部同士の接離により開口部を開閉自在に構成したチャック付き包装用袋であって、
袋の長さ方向の中心線に対して同じ側にある袋の最上部の側端と、チャックの側端から上方に伸びる直線部分の上端とを結ぶそれぞれの線分が、前記中心線に対して１０−７０度の角度をなして中心線から離れて伸びるように袋の最上部の側端が配置され、袋の最上部の側端と該直線部分の上端の間の袋の外端部分は前記線分を越えて中心線から離れることなく、前記袋のチャックより上の部分がチャックに対して下方向に折り曲げ可能である袋。
【請求項２】
該袋のチャックより上の部分が３００から２５００Ｎ／ｃｍの弾性率を有するシートから作られる、請求項１記載の袋。
【請求項３】
前記包装用袋が、ＰＥＴ／ＬＬＤＰＥ、ＰＥＴ／蒸着ＰＥＴ／ＬＬＤＰＥ、ＮＹ／ＬＬＤＰＥ、ＯＰＰ／ＣＰＰ、ＰＥＴ／ＣＰＰ、ＰＥＴ／ＮＹ／ＬＬＤＰＥのラミネートから作られる、請求項１または２記載の袋。
【発明の詳細な説明】
【技術分野】
【０００１】
本発明は、チャックが開いた状態で保持する事ができる包装用袋に関する。
【背景技術】
【０００２】
本出願人は先に、開口部近傍の前面フィルムと後面フィルムそれぞれの対向する内側にチャック部を設け、チャック部同士の接離により開口部を開閉自在に構成したチャック付き包装袋であって、 前記チャック部は前面フィルムと後面フィルムそれぞれの内側でその短手方向に一定間隔だけ離れた２箇所で接着され、その２箇所の接着箇所の間は前面フィルムと後面フィルムそれぞれの内側との間に隙間が形成されており、チャック部と前面フィルムの内側の隙間とチャック部と後面フィルムの内側の隙間とのうち少なくとも一方の隙間に形状保持部材が挿入されていることを特徴とするチャック付き包装袋を開発した（特開２０１６−８８５１６）。しかし、形状保持部材を使用しない、製造が容易で低コストのものに対する要望があった。
【先行技術文献】
【特許文献】
【０００３】
【特許文献１】特開２０１６−８８５１６
【発明の概要】
【発明が解決しようとする課題】
【０００４】
本発明は、形状保持部材を使用せずに、より簡便な形状保持機能を有する新規な包装用袋を提供することを目的とする。
【課題を解決するための手段】
【０００５】
本発明は、開口部近傍の前面フィルムと後面フィルムそれぞれの対向する内側にチャック部を設け、チャック部同士の接離により開口部を開閉自在に構成したチャック付き包装用袋であって、
袋の長さ方向の中心線に対して同じ側にある袋の最上部の側端と、チャックの側端から上方に伸びる直線部分の上端とを結ぶそれぞれの線分が、前記中心線に対して１０−７０度の角度をなして中心線から離れて伸びるように袋の最上部の側端が配置され、袋の最上部の側端と該直線部分の上端の間の袋の外端部分は前記線分を越えて中心線から離れることなく、前記袋のチャックより上の部分がチャックに対して下方向に折り曲げ可能である袋を提供する。
【０００６】
該袋のチャックより上の部分は、好ましくは３００から２５００Ｎ／ｃｍの弾性率を有するシートから作られる。
【０００７】
また前記包装用袋は、好ましくはＰＥＴ／ＬＬＤＰＥ、ＰＥＴ／蒸着ＰＥＴ／ＬＬＤＰＥ、ＮＹ／ＬＬＤＰＥ、ＯＰＰ／ＣＰＰ、ＰＥＴ／ＣＰＰ、ＰＥＴ／ＮＹ／ＬＬＤＰＥのラミネートから作られる。
【図面の簡単な説明】
【０００８】
【図１】本発明の包装用袋の一態様を示す図である。
【図２】図１に示す袋の、チャックより上の部分をチャックに対して下方向に折り曲げた時の状態を示す図である。
【図３】本発明の包装用袋の一態様を示す図である。
【図４】開口状態の袋の上面図であり、開口巾を示す。
【図５】比較例２で使用された包装用袋の形状を示す図である。
【発明を実施するための形態】
【０００９】
図１に本発明の包装用袋の全体図の一例を示す。本発明の包装用袋はチャック部より上の部分が外側に伸びている点に特徴を有する。チャック部より上の部分は直線的に外側に伸びても良いし、図３に示されるように曲線的に伸びても良い。チャック部分の巾はチャック部分より下部の部分と同じ巾であっても良いし、図１に示されるようにチャック部分が狭まっていても良い。
【００１０】
図２に図１に示した本発明の包装用袋のチャックより上の部分を下方向に折り曲げた時の状態を示す。本発明の包装用袋では、このように上の部分を折り曲げることにより開口状態を維持することができる。
【００１１】
図３を参照する。図３においては、チャックの上端から直線部分の上端（３，４）までの全部または一部がシールされる。図３では袋の最上部の側端（１，２）と直線部分の上端（３，４）は曲線により結ばれている。袋の長さ方向の中心線（１０）は、袋の底部と袋の開口部とを結ぶ方向で、袋の巾方向の真ん中を通る線である。
【００１２】
以下、図３に示された袋について、左側部分の説明をする。
袋の長さ方向の中心線（１０）に対して同じ側にある、袋の最上部の側端（１）とチャック（１２）の側端から上方に伸びる直線部分の上端（３）とを結ぶ、２点破線の想像線で示される線分（５）は、中心線に対して１０−７０度である角度θをなして中心線から離れるように伸びる。角度θは好ましくは３０から７０度、より好ましくは４０−６０度である。図３では線分（５）と中心線と平行に描かれた２点破線の想像線（１４）との為す角度をθとして示す。袋の最上部の側端（１）とチャック（１２）の側端から上方に伸びる直線部分の上端（３）の間の袋の外端部分（７）は前記線分（５）を越えて中心線（１０）から離れることがない。すなわち前記外端部分（７）は、中心線（１０）と線分（５）により囲まれた領域内にある。袋の外端部分（７）が前記の領域外まで伸びると、チャックより上部の部分を下方向に折り曲げることが困難になる。
【００１３】
袋は一般に左右対称に作成される。したがって、袋の長さ方向の中心線（１０）に対して同じ側にある、袋の最上部の側端（２）とチャック（１２）の側端から上方に伸びる直線部分の上端（４）とを結ぶ、２点破線の想像線で示される線分（６）は、中心線に対して１０−７０度である角度θをなして中心線から離れるように伸びる。角度θは好ましくは３０から７０度、より好ましくは４０−６０度である。図３では線分（６）と中心線と平行に描かれた２点破線の想像線（１６）との為す角度をθとして示す。袋の最上部の側端（２）とチャック（１２）の側端から上方に伸びる直線部分の上端（４）の間の袋の外端部分（８）は前記線分（６）を越えて中心線（１０）から離れることがない。すなわち前記外端部分（８）は、中心線（１０）と線分（６）により囲まれた領域内にある。
なお、本発明の効果を損なわない範囲において、左右非対称の形状に袋を作成することもできる。
【００１４】
本発明は、図３に示された態様に基づき、以下の通り記載されることができる。
開口部近傍の前面フィルムと後面フィルムそれぞれの対向する内側にチャック部を設け、チャック部同士の接離により開口部を開閉自在に構成したチャック付き包装用袋であって、
袋の長さ方向の中心線（１０）に対して同じ側にある袋の最上部の側端（１，２）と、チャックの側端から上方に伸びる直線部分の上端（３，４）とを結ぶそれぞれの線分（５，６）が、前記中心線（１０）に対して１０−７０度の角度をなして中心線（１０）から離れて伸びるように袋の最上部の側端（１，２）が配置され、袋の最上部の側端（１，２）と該直線部分の上端（３，４）の間の袋の外端部分（７，８）は前記線分（５，６）を越えて中心線（１０）から離れることなく、前記袋のチャックより上の部分がチャックに対して下方向に折り曲げ可能である袋。
【００１５】
本発明の袋においては、チャックは公知の手段により、袋を形成するフィルムとシールされる。チャックの上端からの図３の符号３，４で示される直線部分の末端までの長さを以下、ストレートシール長さと呼ぶ。ストレートシール長さは特に制限するものではないが、一般的には３−１０ｍｍ程度である。
【００１６】
袋の外端から一定の巾でフィルムをシールすることができる。シールは開口部を除く袋の全体にわたり形成することができる。図１および４にシールの例を示す。図中にＷで示されるシールの巾を以下、シール巾と呼ぶ。シール巾は３−１２ｍｍであることができる。チェック部より上の部分のシール巾が長すぎると上部の折り曲げが困難となり、シール巾が短すぎると開口が小さくなる。
【００１７】
本発明の包装用袋のチャックより上の部分は、好ましくは３００から２５００Ｎ／ｃｍの弾性率を有するシートから作られる。弾性率が低すぎると開口状態を保持する事が困難であり、また弾性率が大きすぎるとシートを折り曲げることが困難となる。
本明細書において、弾性率はＪＩＳＫ７１２７に準拠して測定された値をいう。
【００１８】
本発明の包装用袋のチャックより上の部分は、包装袋用材料として公知のフィルムおよびラミネートで作られることができるが、好ましくはＰＥＴ，ＬＬＤＰＥ、ＮＹ，ＯＰＰ，ＰＥ，ＣＰＰ，ＥＶＯＨ，ＥＶＡ，蒸着ＰＥＴ，蒸着ＮＹ（アルミ、アルミナ、シリカが蒸着されたもの）、ＡＬ箔で構成された２−７層のラミネートが使用される。より具体的には、ＰＥＴ／ＬＬＤＰＥ、ＰＥＴ／蒸着ＰＥＴ／ＬＬＤＰＥ、ＮＹ／ＬＬＤＰＥ、ＯＰＰ／ＣＰＰ、ＰＥＴ／ＣＰＰ、ＰＥＴ／ＮＹ／ＬＬＤＰＥのラミネートが好適に使用される。ここで、ＰＥＴはポリエチレンテレフタレート、ＬＬＤＰＥは低密度ポリエチレン、ＮＹはナイロン、ＯＰＰは２軸延伸ポリプロピレン、ＰＥはポリエチレン、ＣＰＰは無軸延伸ポリプロピレン、ＥＶＯＨはエチレン−ビニルアルコールコポリマー、ＥＶＡはエチレン−酢酸ビニルコポリマーを指す。
【００１９】
本発明の包装用袋は、一般に包装用袋のチャックより上の部分と同じ材料を使用して、単一の材料から形成されるが、部分により異なる材料を使用する事もできる。
【００２０】
フィルムの厚さは、例えば厚み寸法が１０μｍ以上であることが好ましい。厚み寸法が１０μｍ未満であると、シール強度、袋強度が弱くなる場合がある。
【００２１】
チャックは、包装用袋の内面に取り付けられ、その包装用袋を再封するための機能を有する部材である。本発明のチャックの形状は、チャックを備えたチャック付フィルムを包装用袋とした際に袋を再封することができるものであれば特に制限されない。チャックは細長状であり、嵌合する一対の嵌合部と、台座部とを有する。チャックは、例えば嵌合する一対の凸部材と凹部材の組み合わせである。また、チャックは凹凸形状の嵌合部を有するものでなくてもよく、例えば、面ファスナー等でもよい。チャックの大きさに制限はなく、製造する包装用袋の容積、用途に応じて設定できるが、例えばチャックの台座部の巾は３〜２５ｍｍであり、長さは袋の巾の長さである。チャックは、ポリエチレン、ポリプロピレンなどのポリオレフィンで一般に作られる。なお、複数の嵌合する凸部材と凹部材を有するチャック、たとえばダブルチャックやトリプルチャックも使用する事ができる。
【００２２】
本発明により、チャックより上の部分が折り曲げやすく、且つ開口された状態を保持する事ができる包装用袋が提供される。
【実施例】
【００２３】
実施例１
ＰＥＴ／ＮＹ／ＬＬＤＰＥで作られたシートを使用して、角度θを代えて図１に示された形状の袋を作成した。なお、このフィルムの弾性率は１０８０Ｎ／ｃｍであった。袋のサイズは、巾２３４ｍｍ、長さ１７５ｍｍ、折り込み巾（マチ）１００ｍｍ、チャック巾１４ｍｍ、ストレートシール長さ５ｍｍであった。チャックの端部からシール巾８ｍｍの長さでチャックがシールされた。また袋の上部を下方向に折り曲げる前の開口巾は１８ｍｍであった。
【００２４】
比較例１として、特開２０１６−８８５１６に開示された方法に従い、形状保持材として巾６ｍｍ、厚み０．８ｍｍのポリエチレンを形状保持材として使用して袋を作成した。
【００２５】
実験においては、折りやすさ、開口巾、および開口度を評価した。折りやすさは５段階で評価した。１は最も折ることが困難であることを示し、５は最も折りやすいことを示す。３以上を合格とした。開口巾は、図４でＬとして示される、袋を上から見た時の開口部分の最も広い巾をいう。開口度は、比較例での開口巾である６２ｍｍに対する各実施例における開口巾の比率（実施例での開口巾／比較例での開口巾）をいう。実験は５回行われ、平均値を表１に示す。
【００２６】
【表１】
2019043646.tif 000003
【００２７】
角度θが０度の時は折り曲げることが著しく困難であった。角度θが１０−７０度の範囲では折り曲げることができ、開口状態を保持する事ができた。また角度θが４０−６０度では折り曲げやすく、かつ十分な開口巾を得ることができた。
【００２８】
実施例2
実施例１に記載された袋を使用して、シール巾を変化させた時の効果を測定した。結果を表２に示す。３−５ｍｍの範囲のシール巾では、８ｍｍの時に最も良好な結果が得られた。
【００２９】
【表２】
2019043646.tif 000004
【００３０】
比較例２
チャックが無い場合の開口巾を測定した。角度θは４０度であった。パターン１として図１の形状の袋であり、チャックがないものを作成した。パターン１では、シール部分に相当する上下方向の直線状のシール部分の長さは３０ｍｍであった。パターン２として、上下方向の直線状のシール部分がなく、図５に示した形状のものを作成した。
測定結果を表３に示す。チャックが無い場合には元々の開口巾が５０ｍｍであるため、チャックの無い場合には袋の上部を折り曲げることによる開口保持の効果は小さいことが示された。
【００３１】
【表３】
2019043646.tif 000005
【図１】
2019043646.tif 000006
【図２】
2019043646.tif 000007
【図３】
2019043646.tif 000008
【図４】
2019043646.tif 000009
【図５】
2019043646.tif 000010